(57)【要約】【課題】騒音を低減できるリアクトルを提供する。【解決手段】並設された一対のコイル１にそれぞれ挿通された第１のコア３と、これらの第１のコア３の各端部の外側にそれぞれ配置され、ほぼロ字状のコアユニットを構成する第２のコア４と、前記コアユニットを挟持し、前記第２のコア４を前記第１のコア１に圧着する挟持部材と、この挟持部材と前記第２のコア４との間に介装され、弾性を有しかつ含浸剤が染み込まない材質からなる防振材６とを備えた構成とした。また、リーケージフラックスが金具の振動に及ぼす影響をなるべく少なくする為に分割分離タイプの締付金具７，８とからなる構成とした。【選択図】  図６
2004319679.tif 000002
【特許請求の範囲】
【請求項１】
並設された一対のコイル（１）にそれぞれ挿通された第１のコア（３）と、これらの第１のコア（３）の各端部の外側にそれぞれ配置され、ほぼロ字状のコアユニットを構成する第２のコア（４）と、前記コアユニットを挟持し、前記第２のコア（４）を前記第１のコア（１）に圧着する挟持部材と、この挟持部材と前記第２のコア（４）との間に介装され、弾性を有しかつ含浸剤が染み込まない材質からなる防振材（６）とを備えたことを特徴とするリアクトル。
【請求項２】
請求項１記載において、前記挟持部材は、離間した２つの板状の金具と、これら金具を連結し、かつその間に配置された前記コアユニットを締付けるネジ部材からなることを特徴とするリアクトル。
【発明の詳細な説明】
【０００１】
【発明の属する技術分野】
この発明は、いわゆるインバータ回路やアクティブフィルタ回路等に用いられるリアクトルに関する。
【０００２】
【従来の技術】
この種のリアクトルは、図１０に示すように、コイル１０と、このコイル１０に挿入された積層コア１１と、この積層コア１１の上下の端面にギャップを介しロ字状に組込まれる積層コア１２とを備えている。
【０００３】
これらの部材は、図１１に示すように、周囲を囲繞する締付金具１３を介し一体化され固定されるが、さらに締付金具１３とコアとの間は接着剤またはワニスで固定していた。
【０００４】
上記のような磁性材料からなるリアクトルにおいては、必ず、コイル１０やコア３、コア４から振動が生じ締付金具１３に伝達し騒音が発生するという問題があった。コイル１０の周囲に相応の面積を有する締付金具１３が存在すると、コア間のギャップ部およびその傍より発生したリーケージフラックスの影響により、締付金具に振動が発生し、さらに騒音が生じる、という問題がある。このため、図１０に示すように、締付金具１３と積層コア１２との間に絶縁紙からなる防振材１４が挿入される。
【０００５】
【発明が解決しようとする課題】
しかしながら、防振材１４は絶縁紙からなるため、含浸中に含浸剤が防振材１４に染み込んでしまい、固くなってしまい、結局、振動を防止ないし低減することができず、また、コイル１０やコアより発生した振動が締付金具１３に伝達し騒音が発生し、環境的に好ましくない、という課題があった。
【０００６】
また、リーケージフラックスが金具の振動に及ぼす影響をなるべく少なくする為にコイル１０の周囲の締付金具１３の面積を極力少なくしたいという課題があった。
【０００７】
この発明は上記のことに鑑み提案されたもので、その目的とするところは、騒音を低減できるリアクトルを提供することにある。
【０００８】
【課題を解決するための手段】
この発明は、上記目的を達成するために、並設された一対のコイル１にそれぞれ挿通された第１のコア３と、これらの第１のコア３の各端部の外側にそれぞれ配置され、ほぼロ字状のコアユニットを構成する第２のコア４と、前記コアユニットを挟持し、前記第２のコア４を前記第１のコア１に圧着する挟持部材と、この挟持部材と前記第２のコア４との間に介装され、弾性を有しかつ含浸剤が染み込まない材質からなる防振材６とを備えた構成としている。
また、前記挟持部材は、離間した２つの板状の金具と、これら金具を連結し、かつその間に配置された前記コアユニットを締付けるネジ部材からなる構成としている。
【０００９】
【発明の実施の形態】
以下、図面に沿って本発明を説明する。
【００１０】
【実施例１】
図１は本発明のリアクトルの一実施例にかかる分解斜視図を示す。
【００１１】
図中１は筒状のボビン２の外周に巻回された一対のコイルであり、並置されている。なお、図１では巻始め、巻終わりの引出線の図示は省略している。これらのコイル１の各ボビン２の中空部にはそれぞれ積層タイプの第１のコア３が挿入されている、これらのコア３の各端部はコイル１の端面から外部に若干突出している。
【００１２】
４はボビン２内に挿入されたコア３の上下にそれぞれ直交して配設される積層タイプの第２のコアであり、これら第１、第２のコア３、４は全体としてほぼロ字状に配置され、コアユニットが構成される。
【００１３】
５は、ボビン２内に挿入されたコア３と、その外側に配置されるコア４との間に設けられる樹脂製のスペーサであり、組立性の向上化とともに、所定の厚みに形成されギャップ材としても機能する。
【００１４】
このスペーサ５は長方形をなす平板状の本体５ａを有し、本体５ａの内面、すなわちコイル１に挿入されたコア３の端部側の両側部には組立性を良くするためにコア３の端部と嵌合する矩形の嵌合部５ｂが形成されている。すなわち、この嵌合部５ｂはリブ５ｃにより矩形に区画形成され、その形状はコア３の端部の形状と対応している。
【００１５】
また、本体５ａの内面であって両側部の嵌合部５ｂの間には、本体５ａの長さ方向に沿って互いに離間して平行に延びる補強用のリブ５ｄが形成されている。また、外周面にも補強用リブ５ｄが形成されている。さらに、外周面の下部から上部にかけても適間隔でもって補強用リブ５ｄが形成されている。なお、本体５ａの外面、すなわち外側に配置されるコア４側は面一状に形成されている。
【００１６】
６は振動を吸収するための防振材であり、コア４の外側、すなわちスペーサ５が設けられる位置とは反対の位置に配設される。この防振材６はコア３の上下にそれぞれ配置されるコア４の形状に対応した横長の矩形形状をなし、平板状の本体６ａと、その周囲に立設された折曲部６ｂとによってキャップ状をなし、コア４の外側部分と対応したコア収納部が形成され、コア４の外面および側部に被せて取付けることができるように構成されている。
【００１７】
この防振材６の材質としては、振動を吸収すべく弾性を有し、かつ含浸剤が染み込まない材質、例えば可撓性を有する樹脂、ゴム等にて形成されている。この実施例ではゴムを用いている。
【００１８】
７は、取付部への取付兼締付金具であり、矩形であって平板状の底板７ａには上方に向かって切り起こされた複数個の切り起し片７ｂが形成されている。これらの切り起し片７ｂはコア４、防振材６等を位置決めしつつ取付け、固定するためのものである。
【００１９】
また、底板７ａの長辺側の隅部には外側に向かって突出する取付片７ｃが形成され、この取付片７ｃには取付孔７ｉが形成され、周知のようにネジを用いて、取付部分（図示せず）に取付け固定される。また、長辺側の各隅部の取付片７ｃの間には上方に向かって折曲形成された補強用の折曲部７ｄが形成されている。
【００２０】
この取付兼締付金具７の上方には、各部材を介して離間して上部締付金具８が配設され、これらはネジ９によって連結され、取付兼締付金具７と上部締付金具８との間の各部材は締付けられ、一体化される。すなわち、ほぼ板状の金具からなる取付兼締付金具７と、これと離間して上方に配置されるほぼ板状の金具からなる上部締付金具８と、これらを連結するネジ９によって挟持部材が構成されている。
【００２１】
取付兼締付金具７の底板７ａの各短辺側にはネジ取付部７ｅがそれぞれ形成されている。
【００２２】
このネジ取付部７ｅは短辺側において上方に立上がった折曲部７ｆと、この折曲部７ｆの上方部において外側に折曲されたネジ取付片７ｇとからなり、ネジ取付片７ｇにはネジが切られたネジ穴７ｈが形成され、ネジ９の先端部が螺着される。
【００２３】
上部締付金具８は上側に配置されるコア４、その外面部に被せられる防振材６上に配置される。この上部締付金具８は、防振材６やコア４の形状にほぼ対応した矩形状の天板８ａを有し、この天板８ａの長辺側に下方に向って折曲された折曲部８ｂが形成され、この折曲部８ｂの内側に防振材６の長辺側の折曲部６ｂが位置するようになっている。
【００２４】
上部締付金具８の天板８ｂの長さ方向の両端部側には下方に向かって切り起された切り起し片８ｃがそれぞれ形成され、この切り起し片８ｃの間に防振材６、コア４等が位置決め固定される。また、天板８ａの天井面には振動防止のために、防振材６の本体６ａが接合される。
【００２５】
天板８ａの短辺側には下方に向かって折曲された折曲部８ｄが形成され、折曲部８ｄの下端は外側に向かって折曲されたネジ９を挿通するためのネジ穴８ｆを有する取付片８ｅがそれぞれ形成されている。
【００２６】
組立てにあたっては、図２に示すように、一対のコイル１を横方向に隣設して並設し、各コイル１に挿通された各コア３の端部にスペーサ５の嵌合部５ｂを嵌合させ、スペーサ５を取付ける。
【００２７】
スペーサ５の内側は上述のようにコイル１に挿通された各コア３が位置し、スペーサ５の外側にはコア４がそれぞれ配置される。上下にそれぞれ配設されたコア４の外面側、すなわちスペーサ５とは反対側の面側にはそれぞれ防振材６が被せられる。下側のコア４，防振材６は取付兼締付金具７の各切り起し片７ｂを介し位置決め固定される。
【００２８】
上側のコア４，防振材６の上部には上部締付金具８が被せられ、取付片８ｅのネジ穴８ｄにネジ９が挿通され、ネジ９の先端部は下側の取付兼締付金具７の取付片７ｇのネジ穴７ｈに螺着される。この組立体に含浸剤が含浸される。
【００２９】
図３はこのようにして組立てられたリアクトルの平面図、図４は正面図、図５は側面図を示す。これらの図において符号１ａはコイル１の巻始めの引出線、１ｂは巻終わりの引出線である。
【００３０】
上記構成の本発明によれば、締付金具とコア４との間に、含浸剤が染み込むことがない弾性材からなる防振材６が挟み込まれたため、発生した振動を防振材６によって吸収することができ、騒音を防止ないし低減することができる。
【００３１】
また、締付金具は下側の取付兼締付金具７と、上側の上部締付金具８とからなり、両者間にコイル１、コア４等を配し、ネジ９により一体化するようにしているため、リーケージフラックスの影響による振動を低減することができる。
【００３２】
【実施例２】
図６は本発明の第２実施例の分解斜視図、図７は組立状態の平面図、図８は正面図、図９は側面図を示す。
【００３３】
前述の実施例では、上部締付金具８の長さ方向の両端に取付片８ｅをそれぞれ外側に張り出すように形成した構成のため、その分、長さ寸法が増大する。
【００３４】
近年、機器は益々小形化してきており、また、各種電子部品の取付部分もいわゆる高密度化が要求され、設置スペースの制約を受けることから、各種機器類は小形化することが好ましい。
【００３５】
図６〜図９に示す本発明の第２実施例では、平面から見てほぼ長方形をなす上方締付金具８において、取付片８ｅ’を上方締付金具８の各長辺側のほぼ中央部にそれぞれ設け、ネジ９は角部が丸味を帯びた一対のコイル１間のデッドスペース部分に挿通するようにし、コンパクト化し、取付面の占有スペースの省スペース化を図ったことに特徴を有している。
【００３６】
すなわち、下側の取付兼締付金具７の底板７ａの各長辺側の内側中央部には、上側の上方締付金具８の取付片８ｅ’に挿通されたネジ９の先端部を螺着するためのネジ穴７ｇ’が形成されている。
【００３７】
したがって、取付兼締付金具７の短辺側には、第１実施例のような取付片７ｇを設ける必要はなく、単に折曲部７ｆが形成されている。
【００３８】
また、この実施例ではネジ９の先端部を取付兼締付金具８の底板７ａのネジ穴７ｇに直接螺着する構造としたため、ネジ先端部が底板７ａの裏側に突出することがある。このため、底板７ａの四隅に下方に向かって折曲された折曲部７ｃ’を形成し、その下端を外側に向かって水平方向に折曲し、取付孔７ｉを有する取付片７ｃを形成している。
【００３９】
なお、上部締付金具８の一方の短辺側に外側に向かって突出形成されたフランジ８ｆはリアクトルの過昇温度を検知するためのサーミスタの如き感熱素子（図示せず）をネジ穴８ｇを介し取付けるためのもので、必ずしもこの位置に設ける必要はない。また、仕様によってはこの感熱素子搭載用のフランジ８ｆはなくても良い。
【００４０】
他の構成、作用等は前述の実施例と同様のため、同一部材は同じ符号を用い詳細説明は省略する。
【００４１】
【発明の効果】
以上のように請求項１記載によれば、外側の各コア４と、さらにその外側に配設される挟持部材との間に、弾性を有しかつ含浸剤が染み込まない材質からなる防振材６を挟み込み振動を吸収するようにしたので、騒音を防止ないし低減することができる、という効果がある。
また、請求項２記載によれば、挟持部材は離間した２つの板状の金具にて構成し、リーケージフラックスが金具の振動に及ぼす影響を少なくしたことにより、この点からも騒音を低減することができるという効果があり、本発明のリアクトルを使用することにより、特にソーラーシステム用インバータ等の低騒音化に有効である。
【図面の簡単な説明】
【図１】本発明のリアクトルの第１実施例にかかる分解斜視図を示す。
【図２】同上の一部組立斜視図を示す。
【図３】組立てられた第１実施例にかかるリアクトルの平面図を示す。
【図４】同正面図を示す。
【図５】同側面図を示す。
【図６】本発明のリアクトルの第２実施例の分解斜視図を示す。
【図７】同上の平面図を示す。
【図８】同上の正面図を示す。
【図９】同上の側面図を示す。
【図１０】従来例の主要構成部材の分解斜視図を示す。
【図１１】従来例の斜視図を示す。
【符号の説明】
１      コイル
２      ボビン
３      積層コア
４      積層コア
５      スペーサ
５ａ    本体
５ｂ    嵌合部
５ｃ    リブ
５ｄ    補強用リブ
６      防振材
６ａ    本体
６ｂ    折曲部
７      取付兼締付金具
７ａ    底板
７ｂ    切り起し片
７ｃ    取付片
７ｃ’  折曲部
７ｄ    折曲部
７ｅ    ネジ取付部
７ｆ    折曲部
７ｇ    ネジ取付片
７ｇ’  ネジ穴
７ｈ    ネジ穴
７ｉ    取付孔
８      上部締付金具
８ａ    天板
８ｂ    折曲部
８ｃ    切り起し片
８ｄ    折曲部
８ｅ    取付片
８ｆ    フランジ
８ｇ    ネジ穴
９      ネジ
１０    コイル
１１    積層コア
１２    積層コア
１３    締付金具
１４    防振材
【図１】
2004319679.tif 000003
【図２】
2004319679.tif 000004
【図３】
2004319679.tif 000005
【図４】
2004319679.tif 000006
【図５】
2004319679.tif 000007
【図６】
2004319679.tif 000008
【図７】
2004319679.tif 000009
【図８】
2004319679.tif 000010
【図９】
2004319679.tif 000011
【図１０】
2004319679.tif 000012
【図１１】
2004319679.tif 000013